【事件の表示】
　平成　５年特許願第２１７８１０号「情報担持シート用媒体とこれを用いた機械読取り可能な情報担持シート」拒絶査定不服審判事件〔平成　７年　３月１４日出願公開、特開平　７−　６８９８３〕について、次のとおり審決する。
【結　論】
　本件審判の請求は、成り立たない。
【理　由】
第１　手続の経緯・本願発明
　本願は、平成５年９月１日の出願であって、その請求項１乃び請求項２に係る発明は、平成１３年１１月１５日付け手続補正書により補正された明細書の特許請求の範囲【請求項１】乃び【請求項２】に記載されたとおりのものと認められ、そのうち請求項１に係る発明（以下「本願発明」という。）は次のとおりである。
「【請求項１】」情報坦持シートの作製に適用される情報坦持シート用媒体であって、
　このシート基材全体若しくは特定領域の内部に、又は、上記シート基材全体若しくは特定領域上にコーティングされた被膜の内部に、白色系若しくは薄い着色を呈しかつ下記構造式（Ｉ）で示される赤外線吸収物質が分散された情報坦持シート用媒体を用い、
　該情報坦持シート用媒体における赤外線吸収物質が分散された領域の任意部位に、酸化チタンを主成分とする白色系赤外線反射性インキにより形成された情報パターンを具備することを特徴とする機械読み取り可能な情報坦持シート。
　　【化１】　
 
　（但し、式中、ｎは１又は２の自然数、Ｒは水素又は炭素数１〜１２のアルキル基、Ｘ− は、ＣｌＯ４−、ＢＦ４−、ＣＣｌ３ＣＯＯ−、ＣＦ３ＣＯＯ−、ＳｂＦ６−、Ｃ６Ｈ５ＳＯ３−、Ｃ２Ｈ５ＳＯ３−、ＰＯ４３−のいずれか又はこれ等の混合物を示す）
　
第２　当審の判断
１．引用刊行物に記載の発明
　これに対して、原査定の拒絶の理由に引用された、特開平４−７０３９４号公報（以下、「引用例１」という）には、次の事項が記載されている。
１−ａ．「可視光域の光に対して吸収が少なく、可視光域外の特定波長域の光に対して吸収を有する色素を含むインキ層を基材上に積層し、前記インキ層上に可視光域外の前記特定波長域の光に対して反射率の高いインキを用いて所定のパターンを印刷したことを特徴とする偽造防止印刷物。」（特許請求の範囲の（６））
１−ｂ．「可視光域の光に対して吸収が少なく、可視光域外の特定波長域の光に対して吸収を有する色素を含むインキ層を基材上に積層し、前記インキに可視光域の光に対して吸収を有する色素を混入し、前記インキ層上に可視光域外の前記特定波長域の光に対して反射率の高いインキを用いて所定のパターンを印刷したことを特徴とする偽造防止印刷物。」（特許請求の範囲の（７））
１−ｃ．「本発明は偽造、複製が困難であり、かつ真偽の判別を容易に行うことができる定期乗車券、プリペイドカード等の有価証券を含む印刷物に関するものである。．．．定期乗車券、プリペイドカード等の有価証券を含むカード状印刷物」（第３頁左上欄５〜１２行）
１−ｄ．「可視光域の光に対して吸収が少なく、可視光域外の特定波長域の光に対して吸収を有する色素を含むインキ．．．このインキの分光特性は、例えば第２図の特性Ｂに示すようなものである。このような色素は、赤外発光ダイオードや半導体レーザの発振波長に吸収を持ち、可視光域では吸収のない透明な色素であって特に限定はなく、例えば、シアニン色素系、フタロシアニン系、ナフトキノン系、アントラキノン系、ジチオール錯体系、トリフェニルメタン系などを用いることができる。そして、基材１とインキの可視光域における分光特性がなるべく類似するように材料の選定、色素の塗布量を選択する。」（第４頁左上欄５〜１８行）
１−ｅ．「基材１に反射プラスチックフィルムを使用する場合には、白色顔料（ＴｉＯ２等）を混入したものが赤外光をよく反射するので好ましい。」（第４頁右上欄１４〜１６行）
１−ｆ．「本実施例は、基材１の上に赤外線反射層４を設けるようにしたものであり．．．この場合も赤外線反射層４の色を赤外線吸収パターン２の色と同色にすれば一層パターンを目立たなくすることができる。」（第４頁左下欄１４〜２０行）
１−ｇ．「可視光域、赤外光域に対して吸収の少ないインキでパターン５を印刷したものであり、このパターンにより赤外線が反射され、それ以外の部分では赤外線吸収層６によって赤外光が吸収されるので赤外線に感応する検知器でパターンを読み取ることができ、偽造防止用として用いることが可能である。」（第４頁右下欄１３〜１９行）
１−ｈ．「第１図（ｆ）は第１図（ｅ）における赤外線吸収層を着色するとともに、赤外線反射パターンを着色インキで印刷した実施例を示す図である。本実施例においては、基材１上に着色した赤外線吸収層７を積層し、この上に着色した赤外線反射パターン５を印刷したものであり、パターンの背景が着色されているのでパターンを目立ちにくくすることができる。なお、着色した赤外線反射パターンは基材１と分光特性の類似の色素を含むインキで印刷すれば一層認識しにくくすることができる。」（第５頁左上欄７〜１７行）。
　
　同じく原査定の拒絶の理由に引用された、特開平０４−２０２６８１号公報（以下、「引用例２」という）には、次の事項が記載されている。
２−ａ．「（従来の技術）N,N,N′,N′−テトラキス（ｐ−ジアルキルアミノフェニル）−ｐ−フェニレンジアミンは、下記一般式（Ｉ）（式中、Ｒはアルキル基を表す。）
  
で表され、この化合物のアミニウム塩またはジイモニウム塩は、赤外線吸収剤として有用であり、ヘキサフルオロアンチモン酸銀または過塩素酸銀等の適当な酸の銀塩を一般式（Ｉ）で表されるアミンと反応させる化学酸化法によって製造される（特公昭４３−２５３３５号公報、特公昭４５−１３３２６号公報）。」（第２頁左上欄１〜１１行）
２−ｂ．「即ち、本発明は一般式（Ｉ）
（式中、Ｒはアルキル基を表す。）で表わされるアミンを、過塩素酸またはその塩の存在下、無隔膜電解層中で電解酸化することを特徴とする一般式（II）
（式中、Ｒはアルキル基を表す。）で表わされるN,N,N′,N′−テトラキス（ｐ−ジアルキルアミノフェニル）−ｐ−ベンゾキノンビス（イモニウム過塩素酸塩）の製造方法である。」（第２頁左下欄最下行〜右下欄下から５行）　
２−ｃ．「実施例１　容量１００ｍｌの無隔膜電解槽に、Ｎ，Ｎ，Ｎ′，Ｎ′−テトラキス（ｐ−ジ−ｎ−ブチルアミノフェニル）−ｐ−フェニレンジアミン（以下、ＴＰＰＤと略す）５．５２ｇ（６ミリモル）、過塩素酸ナトリウム１水和物５．０６ｇ（３６ミリモル）、酢酸エチル５０ｇ、アセトニトリル２５ｇおよび水１ｇを仕込み懸濁液を得た。この懸濁液中に白金被覆チタン電極（日本カーリット（株）製、商品名：エクセロードＡ、１．５ｃｍ×２．８ｃｍ）２枚を挿入して極間距離を１ｃｍとし、室温において撹拌しながら初期電圧を２．１Ｖに設定した。．．．通電終了後、反応液を水洗、濃縮し、ｎ−ヘキサンを添加して析出した結晶を濾別乾燥し、Ｎ，Ｎ，Ｎ′，Ｎ′−テトラキス（ｐ−ジ−ｎ−ブチルアミノフェニル）−ｐ−ベンゾキノンビス（イモニウム過塩素酸塩）５．２ｇ（収率７７％）を得た。」（第４頁左上欄１３行〜右上欄１６行）。
　
２．対比・判断
（１）引用例１に記載された発明
　引用例１には、上記記載事項を含む明細書の全記載及び図面の記載からみて、次の発明（以下、「引用発明」という）が記載されている。
「定期乗車券、プリペイドカード等の有価証券を含むカード状印刷物の基材であって、基材１上に可視光域の光に対して吸収が少なく、赤外線に対して吸収を有する色素を含むインキ層を積層し、前記インキ層に可視光域の光に対して吸収を有する色素を混入し、着色した赤外線吸収層７とするとともに、この上に赤外線反射率の高い、基材と分光特性の類似の色素を含むインキを用いて着色した赤外線反射パターン５を印刷した偽造防止印刷物。」
（２）本願発明と引用発明の対比
　引用発明の「定期乗車券、プリペイドカード等の有価証券を含むカード状印刷物」が、「情報坦持シート」であることは自明であり、
　引用発明の「基材１」、「赤外線に対して吸収を有する色素を含む」、「赤外線反射率の高いインキ」、「基材１上に赤外線吸収層７を積層したもの」は、それぞれ、その機能に照らし、
　本願発明の「シート基材」、「内部に赤外線吸収物質が分散された」、「赤外線反射性インキ」、「情報坦持シート用媒体」に相当し、
　引用発明の「赤外線反射パターン５」はバーコード情報であるから、本願発明のバーコードとして図示された「赤外線反射性インキにより形成された情報パターン」に対応し、
　引用発明の「赤外線吸収層７」は、基材１表面を薄く覆っており、本願発明のその内部に赤外線吸収物質が分散された「被膜」に相当する。
　又、引用発明のカード状印刷物は、赤外線に感応する検知器でパターンを読み取ることができる（摘示の記載１−ｆ．）から、機械読み取り可能な情報坦持シートである。
　したがって、本願発明と引用発明とは、
「情報坦持シートの作製に適用される情報坦持シート用媒体であって、上記シート基材全体もしくは特定領域上にコーティングされた被膜の内部に、赤外線吸収物質が分散された情報坦持シート用媒体を用い、該情報坦持シート用媒体における赤外線吸収物質が分散された領域の任意部位に、赤外線反射性インキにより形成された情報パターンを具備する機械読み取り可能な情報坦持シート」である点で一致し、以下の各点で相違する。
〈相違点〉
　相違点１： 赤外線吸収物質が、本願発明では、白色系若しくは薄い着色を呈しかつ下記構造式（Ｉ）で示される
　（但し、式中、ｎは１又は２の自然数、Ｒは水素又は炭素数１〜１２のアルキル基、Ｘ− は、ＣｌＯ４−、ＢＦ４−、ＣＣｌ３ＣＯＯ−、ＣＦ３ＣＯＯ−、ＳｂＦ６−、Ｃ６Ｈ５ＳＯ３−、Ｃ２Ｈ５ＳＯ３−、ＰＯ４３−のいずれか又はこれ等の混合物を示す）物質であるのに対して、引用発明では例えば、シアニン色素系、フタロシアニン系、ナフトキノン系、アントラキノン系、ジチオール錯体系、トリフェニルメタン系などの色素である点。
　相違点２：赤外線反射性インキが、本願発明では、酸化チタンを主成分とする白色系インキであるのに対して、引用発明では、基材１と分光特性の類似の色素を含むインキである点。
　
　３．相違点についての判断及び本願発明の進歩性の判断
（１）相違点１について
　機械読み取り可能な情報坦持シートにおいて、情報パターンの存在を目視され難くすることは常に考慮されていることであり、情報坦持シート用媒体に分散させる赤外線吸収物質として、赤外領域に強い吸収を持ち、かつ、可視領域における吸収が出来るだけ少ないものが望ましいことは自明のことである（前記摘示の記載１−ａ参照）から、どのような赤外線吸収剤を分散するかは、赤外線吸収剤の可視領域及び赤外領域における光吸収性を考慮して当業者が適宜選択する事項である。赤外線吸収剤として、下記構造式（Ｉ）で示される化合物が、有用な物質であることは引用例２に記載されているように従来から周知（他にも特開平１−３８４９０号公報等参照）であるから、引用例２記載の従来から周知の上記赤外線吸収物質を引用発明の色素に代えて用いることは当業者が容易に想到しうる事項であり、適用にあたりなんの困難性もない。 また、該赤外線吸収剤を用いれば、当然白色系若しくは薄い着色を呈する。 
　
（但し、式中、ｎは１又は２の自然数、Ｒは水素又は炭素数１〜１２のアルキル基、Ｘ− は、ＣｌＯ４−、ＢＦ４−、ＣＣｌ３ＣＯＯ−、ＣＦ３ＣＯＯ−、ＳｂＦ６−、Ｃ６Ｈ５ＳＯ３−、Ｃ２Ｈ５ＳＯ３−、ＰＯ４３−のいずれか又はこれ等の混合物を示す）
　　
（２）相違点２について
　引用例１には、赤外線反射層の色と赤外線吸収パターンの色を同色にして情報パターンの存在を目視され難くすることが記載されている（前記摘示の記載１−ｈ．）。情報パターンの存在を目視され難くすることは、当技術分野において常に考慮されていることであるから、基材上にコーティングされる被膜に分散される赤外線吸収物質として白色系若しくは薄い着色を呈するものを選択した場合、シート基材上にコーティングされた被膜と情報パターンを同色にするために、情報パターンを形成する赤外線反射性インキを白色系を呈するものとすることは当然の選択であり、酸化チタンが白色顔料であること、酸化チタンを混入したものが赤外光をよく反射することが引用例１に記載（前記摘示の記載１−ｅ．）があるように従来から周知の事項であるから、情報パターンを酸化チタンを主成分とする白色系インキを用いて形成することは、当業者にとって容易である。
　
（４）本願発明の進歩性の判断
　相違点１及び相違点２に係る本願発明のように構成することは、いずれも当業者が容易に想到できるものであり、これら相違点１及び相違点２に係る構成を採用した本願発明の作用効果も事前に予測可能の範囲内のものである。
　本願発明は、引用発明、引用例２記載の技術及び従来周知の技術に基づいて当業者が容易に発明をすることができたものであるから、本願は、特許法第２９条第２項の規定により特許を受けることができない。
　
　第３　むすび
　本願発明即ち請求項１に係る発明が特許を受けることができない以上、本願のその余の請求項に係る発明について検討するまでもなく、本願は拒絶を免れない。
　よって、結論のとおり審決する。